(57)【特許請求の範囲】
【請求項１】
アプリケーションプログラムをアンインストールする方法であって、
アプリケーションプログラムのアンインストールコマンドを受信するステップと、
前記アンインストールコマンドにより、前記アプリケーションプログラムをアンインストールするステップと、
モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップと、
を含み、
前記モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップは、
粒子動画の形態で、前記モバイル端末のデスクトップから前記アプリケーションプログラムのアイコンが移動されて除去される過程を表示するステップを含む
ことを特徴とするアプリケーションプログラムをアンインストールする方法。
【請求項２】
前記粒子動画の形態で、モバイル端末のデスクトップから前記アプリケーションプログラムのアイコンが移動されて除去される過程を表示するステップは、
前記アプリケーションプログラムのアイコンが位置している位置から動き始める複数の粒子を生成するステップと、
前記アプリケーションプログラムのアイコンを前記複数の粒子と同じ数量の部分に分割し、且つ各前記部分の色を対応する粒子の色とするステップと、
各前記粒子を、各自の運動軌跡を沿って前記粒子が消えるまで動くように制御するステップと、
を含むことを特徴とする請求項１に記載のアプリケーションプログラムをアンインストールする方法。
【請求項３】
前記複数の粒子の運動軌跡の形式は同一であり、運動軌跡の方向と運動軌跡の幅は異なる
ことを特徴とする請求項２に記載のアプリケーションプログラムをアンインストールする方法。
【請求項４】
前記複数の粒子の運動軌跡の形式はベジェ曲線、放物線及び直線の中の任意の一つである
ことを特徴とする請求項３に記載のアプリケーションプログラムをアンインストールする方法。
【請求項５】
前記複数の粒子の運動軌跡の方向、運動軌跡の幅はランダム性を有する
ことを特徴とする請求項３に記載のアプリケーションプログラムをアンインストールする方法。
【請求項６】
各前記粒子を、各自の運動軌跡に沿って動くように制御する前記ステップは、
各前記粒子を、それぞれ異なる時間が遅延された後、各自の運動軌跡に沿って動き始めるように制御するステップを含む
ことを特徴とする請求項２に記載のアプリケーションプログラムをアンインストールする方法。
【請求項７】
各前記粒子を、各自の運動軌跡に沿って動くように制御する前記ステップは、
各前記粒子が各自の運動軌跡に沿って動く過程において、各前記粒子の透明度が次第に下がるように制御するステップを含む
ことを特徴とする請求項２に記載のアプリケーションプログラムをアンインストールする方法。
【請求項８】
前記粒子のサイズはランダム性を有する
ことを特徴とする請求項２に記載のアプリケーションプログラムをアンインストールする方法。
【請求項９】
前記粒子動画の形態で、前記モバイル端末のデスクトップから前記アプリケーションプログラムのアイコンが移動されて除去される過程を表示するステップは、
前記アプリケーションプログラムのアイコンを縮小するステップと、
前記アプリケーションプログラムのアイコンが設定サイズに縮小された場合、粒子動画の形態で前記モバイル端末のデスクトップから前記アプリケーションプログラムのアイコンが移動されて除去される過程を表示するステップと、
を含むことを特徴とする請求項１から請求項８のいずれか一項に記載のアプリケーションプログラムをアンインストールする方法。
【請求項１０】
前記アプリケーションプログラムの処理コマンドを受信するステップと、
前記処理コマンドにより、前記アンインストールコマンドの入力インタフェースが設置されている前記アプリケーションプログラムのアイコンを動的な形態で表示するステップと、
を更に含むことを特徴とする請求項１から請求項８のいずれか一項に記載のアプリケーションプログラムをアンインストールする方法。
【請求項１１】
アプリケーションプログラムをアンインストールする装置であって、
アプリケーションプログラムのアンインストールコマンドを受信するための受信モジュールと、
前記アンインストールコマンドにより、前記アプリケーションプログラムをアンインストールするためのアンインストールモジュールと、
モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するための移動除去モジュールと、
を含み、
前記移動除去モジュールは、
粒子動画の形態で、前記モバイル端末のデスクトップから前記アプリケーションプログラムのアイコンが移動されて除去される過程を表示することに用いられる
ことを特徴とするアプリケーションプログラムをアンインストールする装置。
【請求項１２】
前記移動除去モジュールは、
前記アプリケーションプログラムのアイコンが位置している位置から動き始める複数の粒子を生成するための生成サブモジュールと、
前記アプリケーションプログラムのアイコンを前記複数の粒子と同じ数量の部分に分割し、且つ各前記部分の色を対応する粒子の色とするための分割サブモジュールと、
各前記粒子を、各自の運動軌跡を沿って前記粒子が消えるまで動くように制御するための制御サブモジュールと、
を含むことを特徴とする請求項１１記載のアプリケーションプログラムをアンインストールする装置。
【請求項１３】
前記複数の粒子の運動軌跡の形式は同一であり、運動軌跡の方向と運動軌跡の幅は異なる
ことを特徴とする請求項１２に記載のアプリケーションプログラムをアンインストールする装置。
【請求項１４】
前記複数の粒子の運動軌跡の形式はベジェ曲線、放物線及び直線の中の任意の一つである
ことを特徴とする請求項１３に記載のアプリケーションプログラムをアンインストールする装置。
【請求項１５】
前記複数の粒子の運動軌跡の方向、運動軌跡の幅はランダム性を有することを特徴とする
請求項１３に記載のアプリケーションプログラムをアンインストールする装置。
【請求項１６】
前記制御サブモジュールは、
各前記粒子を、それぞれ異なる時間を遅延された後、各自の運動軌跡に沿って動き始めさせる
ことを特徴とする請求項１２に記載のアプリケーションプログラムをアンインストールする装置。
【請求項１７】
前記制御サブモジュールは、
各前記粒子が各自の運動軌跡に沿って動く過程において、各前記粒子の透明度が次第に下がるよう制御する
ことを特徴とする請求項１２に記載のアプリケーションプログラムをアンインストールする装置。
【請求項１８】
前記粒子のサイズはランダム性を有する
ことを特徴とする請求項１２に記載のアプリケーションプログラムをアンインストールする装置。
【請求項１９】
前記移動除去モジュールは、
前記アプリケーションプログラムのアイコンを縮小し、
前記アプリケーションプログラムのアイコンが設定サイズに縮小された場合、粒子動画の形態で前記モバイル端末のデスクトップから前記アプリケーションプログラムのアイコンが移動されて除去される過程を表示するためである
ことを特徴とする請求項１１から請求項１８のいずれか一項に記載のアプリケーションプログラムをアンインストールする装置。
【請求項２０】
前記受信モジュールは、
前記アプリケーションプログラムの処理コマンドを更に受信し、
前記装置は、
前記処理コマンドにより、前記アンインストールコマンドの入力インタフェースが設置されている前記アプリケーションプログラムのアイコンを動的な形態で表示するための表示モジュールを更に含む
ことを特徴とする請求項１１から請求項１８のいずれか一項に記載のアプリケーションプログラムをアンインストールする装置。
【請求項２１】
アプリケーションプログラムをアンインストールする装置であって、
プロセッサと、
プロセッサが実行可能なコマンドを保存するメモリと、を含み、
その中、前記プロセッサは、
アプリケーションプログラムのアンインストールコマンドを受信するステップと、
前記アンインストールコマンドにより、前記アプリケーションプログラムをアンインストールするステップと、
モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップと、を実行するように配置され、
前記モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップは、
粒子動画の形態で、前記モバイル端末のデスクトップから前記アプリケーションプログラムのアイコンが移動されて除去される過程を表示するステップを含む
ことを特徴とするアプリケーションプログラムをアンインストールする装置。
【発明の詳細な説明】
【技術分野】
【０００１】
本願は出願番号が２０１５１０４７１３４８．３であり、２０１５年０８月０４日(出願日)に中国の特許庁へ提出した中国特許出願に基礎として提出したものであり、上記の中国特許出願を優先権とし、その全部の内容を本願に引用する。
【０００２】
本発明はモバイル端末技術分野に関し、特にアプリケーションプログラムをアンインストールする方法と装置に関するものである。
【背景技術】
【０００３】
モバイル端末の処理能力と保存能力の迅速な発展により、大量のアプリケーションプログラム(ａｐｐｌｉｃａｔｉｏｎ)が急速に普及して使用されている。アプリケーションプログラムをモバイル端末にインストールした後、使用者は、様々な理由により、当該アプリケーションプログラムをモバイル端末からアンインストールする場合があり、例えば、保存空間を解放する必要があるか、又はあるアプリケーションプログラムを誤ってインストールした場合である。
【０００４】
関連技術において、使用者があるアプリケーションプログラムをアンインストールする必要がある場合、使用者はモバイル端末にて当該アプリケーションプログラムのアンインストールコマンドを入力し、モバイル端末は受信されたアンインストールコマンドにより、当該アプリケーションプログラムをアンインストールし、当該アプリケーションプログラムのアイコンもモバイル端末のデスクトップから消えてしまう。
【０００５】
アイコンが消える以外に、使用者は、モバイル端末から、アプリケーションプログラムがアンインストールされてたことに関する如何なるフィードバックも得られないため、使用者の体験が良くない。
【発明の概要】
【発明が解決しようとする課題】
【０００６】
関連技術におけるアプリケーションプログラムがアンインストールされたことに関するフィードバックを得られず、使用者の体験が良くない問題を解決するため、本発明はアプリケーションプログラムをアンインストールする方法と装置を提供する。
【課題を解決するための手段】
【０００７】
本発明の実施例の第１形態によると、アプリケーションプログラムをアンインストールする方法を提供し、
アプリケーションプログラムのアンインストールコマンドを受信するステップと、
前記アンインストールコマンドにより、前記アプリケーションプログラムをアンインストールするステップと、
モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップと、を含み、
前記モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップは、
粒子動画の形態で、前記モバイル端末のデスクトップから前記アプリケーションプログラムのアイコンが移動されて除去される過程を表示するステップを含む。
【０００９】
前記粒子動画の形態で、モバイル端末のデスクトップから前記アプリケーションプログラムのアイコンが移動されて除去される過程を表示するステップは、
前記アプリケーションプログラムのアイコンが位置している位置から動き始める複数の粒子を生成するステップと、
前記アプリケーションプログラムのアイコンを前記複数の粒子と同じ数量の部分に分割して、且つ各前記部分の色を対応する粒子の色とするステップと、
各前記粒子を、各自の運動軌跡を沿って前記粒子が消えるまで動くように制御するステップと、を含んでもよい。
【００１０】
前記複数の粒子の運動軌跡の形式は同一であり、運動軌跡の方向と運動軌跡の幅は異なることが好ましい。
【００１１】
前記複数の粒子の運動軌跡の形式はベジェ曲線、放物線及び直線の中の任意の一つであることが更に好ましい。
【００１２】
前記複数の粒子の運動軌跡の方向、運動軌跡の幅はランダム性を有することが更に好ましい。
【００１３】
各前記粒子を、各自の運動軌跡に沿って動くように制御する前記ステップは、
各前記粒子を、それぞれ異なる時間が遅延された後、各自の運動軌跡に沿って動き始めるように制御するステップを含むことが好ましい。
【００１４】
各前記粒子を、各自の運動軌跡に沿って動くように制御する前記ステップは、
各前記粒子が各自の運動軌跡に沿って動く過程において、各前記粒子の透明度が次第に下がるように制御するステップを含むことが好ましい。
【００１５】
前記粒子のサイズはランダム性を有することが好ましい。
【００１６】
第１形態における他の可能な実現方式において、前記粒子動画の形態で、前記モバイル端末のデスクトップから前記アプリケーションプログラムのアイコンが移動されて除去される過程を表示するステップは、
前記アプリケーションプログラムのアイコンを縮小するステップと、
前記アプリケーションプログラムのアイコンが設定サイズに縮小された場合、粒子動画の形態で前記モバイル端末のデスクトップから前記アプリケーションプログラムのアイコンが移動されて除去される過程を表示するステップと、を含む。
【００１７】
第１形態における他の可能な実現方式において、前記方法は、
前記アプリケーションプログラムの処理コマンドを受信するステップと、
前記処理コマンドにより、前記アンインストールコマンドの入力インタフェースが設置されている前記アプリケーションプログラムのアイコンを動的な形態で表示するステップと、を更に含む。
【００１８】
本発明の実施例の第２形態によると、アプリケーションプログラムをアンインストールする装置を提供し、
アプリケーションプログラムのアンインストールコマンドを受信するための受信モジュールと、
前記アンインストールコマンドにより、前記アプリケーションプログラムをアンインストールするためのアンインストールモジュールと、
モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するための移動除去モジュールと、を含み、
前記移動除去モジュールは、
粒子動画の形態で、前記モバイル端末のデスクトップから前記アプリケーションプログラムのアイコンが移動されて除去される過程を表示することに用いられる。
【００２０】
前記移動除去モジュールは、
前記アプリケーションプログラムのアイコンが位置している位置から動き始める複数の粒子を生成するための生成サブモジュールと、
前記アプリケーションプログラムのアイコンを前記複数の粒子と同じ数量の部分に分割して、且つ各前記部分の色を対応する粒子の色とするための分割サブモジュールと、
各前記粒子を、各自の運動軌跡を沿って前記粒子が消えるまで動くように制御するための制御サブモジュールと、を含むことが好ましい。
【００２１】
前記複数の粒子の運動軌跡の形式は同一であり、運動軌跡の方向と運動軌跡の幅は異なることが好ましい。
【００２２】
前記複数の粒子の運動軌跡の形式はベジェ曲線、放物線及び直線の中の任意の一つであることが更に好ましい。
【００２３】
前記複数の粒子の運動軌跡の方向、運動軌跡の幅はランダム性を有することが更に好ましい。
【００２４】
前記制御サブモジュールは、
各前記粒子を、それぞれ異なる時間を遅延された後、各自の運動軌跡に沿って動き始めさせることが好ましい。
【００２５】
前記制御サブモジュールは、
各前記粒子が各自の運動軌跡に沿って動く過程において、各前記粒子の透明度が次第に下がるよう制御することが好ましい。
【００２６】
前記粒子のサイズはランダム性を有することが好ましい。
【００２７】
第２形態における他の可能な実現方式において、前記移動除去モジュールは、
前記アプリケーションプログラムのアイコンを縮小し、
前記アプリケーションプログラムのアイコンが設定サイズに縮小された場合、粒子動画の形態で前記モバイル端末のデスクトップから前記アプリケーションプログラムのアイコンが移動されて除去される過程を表示するためである。
【００２８】
第２形態における他の可能な実現方式において、前記受信モジュールは、
前記アプリケーションプログラムの処理コマンドを更に受信し、
前記装置は、
前記処理コマンドにより、前記アンインストールコマンドの入力インタフェースが設置されている前記アプリケーションプログラムのアイコンを動的な形態で表示するための表示モジュールを更に含む。
【００２９】
本発明の実施例の第３形態によると、アプリケーションプログラムをアンインストールする装置を提供し、
プロセッサと、
プロセッサが実行可能なコマンドを保存するメモリと、を含み、
その中、前記プロセッサは、
アプリケーションプログラムのアンインストールコマンドを受信するステップと、
前記アンインストールコマンドにより、前記アプリケーションプログラムをアンインストールするステップと、  モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップと、を実行するように配置され、
前記モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップは、
粒子動画の形態で、前記モバイル端末のデスクトップから前記アプリケーションプログラムのアイコンが移動されて除去される過程を表示するステップを含む。
【発明の効果】
【００３０】
本発明の実施例で提供した技術案は、動画を採用して、アプリケーションプログラムのアイコンがモバイル端末のデスクトップから移動されて除去される過程を表示することで、アプリケーションプログラムのアンインストールに関して、使用者に対するフィードバックを強化させ、アプリケーションプログラムが既にアンインストールされたことを使用者に告知し、使用者の体験を良くさせる、という有益な効果を有する。
【００３１】
なお、以上の一般的な説明及び下記の詳細な説明は、例示的で且つ解釈的なものであり、本開示を限定するものではない。
【図面の簡単な説明】
【００３２】
ここの図面は、明細書に含まれて明細書の一部分を構成し、本発明に適する実施例を示すものであり、明細書と共に本発明の原理を解釈するためのものである。
【００３３】
【図１ａ】図１ａは、一つの例示的な実施例に係るアプリケーションプログラムをアンインストールする方法のアプリケーションシナリオを示す図である。
【図１ｂ】図１ｂは、一つの例示的な実施例に係るアプリケーションプログラムをアンインストールする方法のアプリケーションシナリオを示す図である。
【図１ｃ】図１cは、一つの例示的な実施例に係るアプリケーションプログラムをアンインストールする方法のアプリケーションシナリオを示す図である。
【図２】図２は、一つの例示的な実施例に係るアプリケーションプログラムをアンインストールする方法を示すフロチャートである。
【図３】図３は、一つの例示的な実施例に係るアプリケーションプログラムをアンインストールする方法を示すフロチャートである。
【図４】図４は、一つの例示的な実施例に係るアプリケーションプログラムをアンインストールする装置を示すブロック図である。
【図５】図５は、他の例示的な実施例に係るアプリケーションプログラムをアンインストールする装置を示すブロック図である。
【図６】図６は、一つの例示的な実施例に係るアプリケーションプログラムをアンインストールする装置を示すブロック図である。
【発明を実施するための形態】
【００３４】
ここで、例示的な実施例について詳しく説明し、その例示を図面に示す。下記の説明で図面に係わる場合、他の説明がない以上、異なる図面において、同一の符号で同一又は類似した要素を示す。以下の例示的な実施例で説明された実施形態は、本発明と一致する全部の実施形態を示すわけではなく、特許請求の範囲に記載された本発明の一部の形態に一致する装置と方法に過ぎない。
【００３５】
以下、図１ａ−図１cと組み合わせて、本発明の実施例で提供したアプリケーションプログラムをアンインストールする方法のアプリケーションシナリオを簡単に紹介する。図１ａに示すように、モバイル端末のデスクトップに複数のアイコンが設置され、各アイコンが1つのアプリケーションプログラムに対応されている。図１ｂに示すように、使用者が一つのアイコンを選択し且つ当該アイコンを選定した時間が設定時間(例えば、１ｓ)に達していない(即ち、一つのアイコンをクリックする)場合、モバイル端末は、当該アイコンに対応されているアプリケーションプログラムを起動させ、使用者に使用させる。図１ｃに示すように、使用者が一つのアイコンを選定した時間が設定時間に達成した(即ち、一つのアイコンを長押しした)場合、モバイル端末は、当該アイコンに対応されているアプリケーションプログラムを起動させず、すべてのアイコンを動的な形態で表示し、アイコンごとに、対応されているアプリケーションプログラムをアンインストールするためのコマンド入力インターフェイス(即ち、図１ｃにおけるアイコンの右上隅の×)が設置される。このような場合、使用者は、アイコンを移動して当該アイコンの表示位置を変化してもよく、またはアイコンの右上隅の×をクリックすることで対応されているアプリケーションプログラムをアンインストールしてもよい。
【００３６】
なお、上述したアプリケーションシナリオは例であり、本発明はこれらに限らない。
【００３７】
図２は、一つの例示的な実施例に係るアプリケーションプログラムをアンインストールする方法を示すフロチャートである。図２に示すように、当該アプリケーションプログラムをアンインストールする方法は端末に適用され、Ｓ１１ステップ、Ｓ１２ステップ、Ｓ１３ステップを含む。
【００３８】
Ｓ１１ステップにおいて、アプリケーションプログラムのアンインストールコマンドを受信する。
【００３９】
Ｓ１２ステップにおいて、アンインストールコマンドにより、アプリケーションプログラムをアンインストールする。
【００４０】
Ｓ１３ステップにおいて、モバイル端末のデスクトップからアプリケーションプログラムのアイコンを移動して除去し、且つ動画を採用してモバイル端末のデスクトップからアプリケーションプログラムのアイコンが移動されて除去される過程を表示する。
【００４１】
本発明の実施例は、動画を採用してモバイル端末のデスクトップからアプリケーションプログラムのアイコンが移動されて除去される過程を表示することで、アプリケーショアプリケーションプログラムのアンインストールに関して、使用者に対するフィードバックを強化させ、アプリケーションプログラムが既にアンインストールされたことを使用者に告知し、使用者の体験を良くさせる。
【００４２】
図３は、他の例示的な実施例に係るアプリケーションプログラムをアンインストールする方法を示すフロチャートである。図３に示すように、当該アプリケーションプログラムをアンインストールする方法は端末に適用され、Ｓ２１ステップ、Ｓ２２ステップ、Ｓ２３ステップ、Ｓ２４ステップ、Ｓ２５ステップを含む。
【００４３】
Ｓ２１ステップにおいて、アプリケーションプログラムの処理コマンドを受信する。
【００４４】
本実施例において、処理コマンドは、使用者によりアプリケーションプログラムのアイコンが選定されている時間が設定時間に達する場合に、発生される。アプリケーションプログラムのアイコンは、モバイル端末のデスクトップに表示される。
【００４５】
図１ａに示すように、実際の応用において、モバイル端末のデスクトップには複数のアイコンが設置可能であり、各アイコンが1つのアプリケーションプログラムに対応されている。使用者が当該アイコンに対応している領域のタッチスクリーンをタッチすると、タッチスクリーンは相応したタッチ信号を発生し、当該タッチ信号の持続時間が設定時間に達すると、モバイル端末はアプリケーションプログラムの処理コマンドが受信されたと判定する。当該処理としては、アイコンの位置を移動させる処理でもよく、アイコン及びこれに対応するアプリケーションプログラムをアンインストールする処理でもよい。
【００４６】
Ｓ２２ステップにおいて、処理コマンドにより、アプリケーションプログラムのアイコンを動的な形態で表示し、アプリケーションプログラムのアイコンにはアンインストールコマンドの入力インタフェースが設置されている。
【００４７】
動的な形態とは、アプリケーションプログラムのアイコンの中心を移動しないように維持しながら、アプリケーションプログラムのアイコンを振る形態であり、アプリケーションプログラムのアイコンが震える角度は設定された範囲内にあり、例えば−３０℃乃至３０℃であってもよい。
【００４８】
図１ｃに示すように、アンインストールコマンドの入力インタフェースは一つの×で示しても良い。
【００４９】
Ｓ２３ステップにおいて、アプリケーションプログラムのアンインストールコマンドを受信する。
【００５０】
図１ｃに示すように、使用者がアンインストールコマンドの入力インタフェースに対応する領域のタッチスクリーンをタッチすると、タッチスクリーンで相応したタッチ信号が発生され、モバイル端末はアプリケーションプログラムのアンインストールコマンドを受信したと判定する。
【００５１】
Ｓ２４ステップにおいて、アンインストールコマンドにより、アプリケーションプログラムをアンインストールする。
【００５２】
実際の応用において、モバイル端末は、アンインストールコマンドにより、メモリからアプリケーションプログラムを削除する。
【００５３】
Ｓ２５ステップにおいて、モバイル端末のデスクトップからアプリケーションプログラムのアイコンを移動して除去し、且つ動画を採用してモバイル端末のデスクトップからアプリケーションプログラムのアイコンが移動されて除去される過程を表示する。
【００５４】
具体的に、モバイル端末のデスクトップからアプリケーションプログラムのアイコンを移動して除去するステップは、
モバイル端末のデスクトップからアプリケーションプログラムのアイコンを移動して除去する過程において、アプリケーションプログラムのアイコンの透明度が次第に下がるように制御するステップを含んでもよい。
【００５５】
本実施例の一つの実現方式において、当該Ｓ２５ステップは、
粒子動画の形態で、モバイル端末のデスクトップからアプリケーションプログラムのアイコンが移動されて除去される過程を表示するステップを含んでよい。
【００５６】
なお、アプリケーションプログラムのアイコンの透明度が次第に下がる過程と粒子動画の表示過程を関連付け、即ち、粒子動画を利用して、アプリケーションプログラムのアイコンがモバイル端末のデスクトップから移動されて除去される過程を使用者に対して表示することができ、使用者の視覚的な感覚を強化できる。
【００５７】
粒子動画の形態で、モバイル端末のデスクトップからアプリケーションプログラムのアイコンが移動されて除去される過程を表示するステップは、
アプリケーションプログラムのアイコンが位置している位置から動き始める複数の粒子を生成するステップと、
アプリケーションプログラムのアイコンを複数の粒子と同じ数量の部分に分割し、且つ各部分の色を対応する粒子の色とするステップと、
各粒子が各自の運動軌跡を沿って、粒子が消えるまで動くステップと、を含んでよい。
【００５８】
具体的な実現において、粒子の透明度が０になると、消えることである。
【００５９】
具体的に、アプリケーションプログラムのアイコンを複数の粒子と同じ数量の部分に分割し、且つ各部分の色を対応する粒子の色とするステップは、
アプリケーションプログラムのアイコンをｎ行ｍ列の行列に分割し、行列の各成分は各分された部分を表すステップと、その中、ｍ≧１で且つｍは整数であり、ｎ≧１で且つｎは整数であり、
各部分と粒子を一々対応させるステップと
粒子の色を、対応する部分の色に設置するステップと、を含める
【００６０】
ｍ=ｎが望ましい。容易に分かるように、アプリケーションプログラムのアイコンは一般的に四角形であり、アプリケーションプログラムのアイコンを行と列の数が同一の行列に分割し、アプリケーションプログラムのアイコンの色を粒子に均一に分布させることで、粒子動画の表示効果を向上させることができる。
【００６１】
例として、粒子の個数が１００の場合、アプリケーションプログラムのアイコンを１０行×１０列の行列に分割することができる。
【００６２】
各粒子のサイズはランダム性を有するのが好ましい。粒子のサイズは一般的に５−４０画素であり、少量の粒子(総量の２０%を超えなく)を４０画素よりも大きくさせることができるため、粒子動画の表示効果を更に向上させる。
【００６３】
複数の粒子の運動軌跡の形式は同一であり、運動軌跡の方向と運動軌跡の幅は異なることが好ましい。よって、粒子動画にはある程度のルールがあり、且つある程度の変化を有するため、全体的な表示効果がよい。
【００６４】
複数の粒子の運動軌跡の形式は曲線（例えば、ベジェ曲線、放物線など）でもよく、又は直線でもよいことが更に好ましい。
【００６５】
複数の粒子の運動軌跡の方向、運動軌跡の幅はランダム性を有することが更に好ましい。
【００６６】
実際の応用において、粒子を生成する場合、粒子が経過する特定点の座標を設定することで、その運動軌跡を限定できる。ベジェ曲線を例にすると、粒子の運動軌跡の設定は、始点、終点及び中間点との３点の座標を限定すればよい。
【００６７】
表示画面は左上隅を原点とし、上方の辺をＸ軸とし、左方の辺ををＹ軸として座標系を設定し、各粒子の始点、終点及び中間点は下記のように設定することができる。
【００６８】
式（１）−(２)で始点の座標（ｏｂｊ.ｓｘ、ｏｂｊ.ｓｙ）を計算する。
ｏｂｊ.ｓｘ=ｃｅｎｔｅｒＸ+ａ*２*(ｍａｔｈ.ｒａｎｄｏｍ()−０．５)      （１）
ｏｂｊ.ｓｙ=ｃｅｎｔｅｒＹ+ａ*２*(ｍａｔｈ.ｒａｎｄｏｍ()−０．５)      （２）
その中、(ｃｅｎｔｅｒＸ、ｃｅｎｔｅｒＹ)は、アイコンの中心の座標である。ａは設定値として、一般的にアイコンの辺の長さ(例えば、５７画素)の半分程度で、例えば３０画素である。ｍａｔｈ.ｒａｎｄｏｍ()は乱数発生関数で、発生させた乱数の範囲は［０、１］である。
【００６９】
式（３）−(５)で終点の座標（ｏｂｊ.ｅｘ，ｏｂｊ.ｅｙ）を計算する。
ｏｆｆｓｅｔ=ｒａｎｇｅ*２*(ｍａｔｈ.ｒａｎｄｏｍ()−０．５)*((ｍａｔｈ.ｒａｎｄｏｍ()>b)？c：d)                                                        （３）
ｏｂｊ.ｅｘ=ｃｅｎｔｅｒＸ+ｏｆｆｓｅｔ                                 （４）
ｏｂｊ.ｅｙ=ｃｅｎｔｅｒＹ+((ｍａｔｈ.ｒａｎｄｏｍ()>０．５)?(−(ｒａｎｇｅ−ｍａｔｈ.ａｂｓ(ｏｆｆｓｅｔ))*ｅ+(０．５−ｍａｔｈ.ｒａｎｄｏｍ())*２*ｆ−((ｍａｔｈ.ｒａｎｄom（）>ｈ)?０:ｆ*ｍａｔｈ.ｒａｎｄｏｍ())):(ｒａｎｇｅ−ｍａｔｈ.ａｂｓ(ｏｆｆｓｅｔ))*(１−ｅ)+(０．５−ｍａｔｈ.ｒａｎｄｏｍ())*２*ｇ+((ｍａｔｈ.ｒａｎｄｏｍ()>ｉ)？０:ｇ*ｍａｔｈ.ｒａｎｄｏｍ())))                   （５）
その中,ｏｆｆｓｅｔは終点の座標の変化範囲である。ｒａｎｇｅは設定値として、一般的にスクリーンの幅(例えば、６４０画素)の半分程度で、例えば３５０画素である。ｍａｔｈ.ｒａｎｄｏｍ()は乱数発生関数で、発生させる乱数の範囲は[０、１]である。(ｃｅｎｔｅｒＸ、ｃｅｎｔｅｒＹ)はアイコン中心の座標である。ｍａｔｈ.ａｂｓ()は整数を求めてから絶対値を返す関数である。
【００７０】
ｂ、ｃ、ｄは設定値で、粒子の水平方向における運動軌跡の幅を限定するのに使用される。 大部分の粒子の運動軌跡の幅が小さく、小部分の粒子の運動軌跡の幅が大きい場合に粒子動画の効果が良いことを考慮して、ｂ、ｃ、ｄの数値範囲は０<ｂ<０．５、０<ｃ<１、ｄ>１に限定することができ、例えば、ｂ=０．２、ｃ=０．８、ｄ=１．３にする。
【００７１】
現実的な場面において、近所の粒子(水平方向における運動軌跡の幅が小さい)の動きがより鮮明(垂直方向における運動軌跡の幅が大きい)していることを考慮し、ｏｂｊ.ｅｙの計算にｒａｎｇｅ−ｍａｔｈ.ａｂｓ(ｏｆｆｓｅｔ)を追加することで、粒子の水平方向における運動軌跡の幅を小さくさせ、垂直方向における運動軌跡の幅を大きくさせ、粒子動画の表現効果を向上させる。
【００７２】
ｅ、ｆ、ｇは設定値で、現実的な場面には、重力の作用が更に存在し、上方に向かって動く粒子の運動軌跡の幅が下方に向かって動く粒子の幅より小さいことを考慮し、ｅ、ｆ、ｇの数値範囲は０<ｅ<０．５に、ｆはスクリーンの幅の１/４−１/３に、ｇはスクリーンの幅の１/２−２/３に限定することができ、例えば、ｅ=０．４、ｆ=８０、ｇ=２００とすることで、粒子動画の効果を更に現実的な場面に類似させる。
【００７３】
ｏｂｊ.ｅｙの計算式に (ｍａｔｈ.ｒａｎｄｏｍ()>ｈ)？０:ｆ*ｍａｔｈ.ｒａｎｄｏｍ())又は(ｍａｔｈ.ｒａｎｄｏｍ()>ｉ)？０:ｇ*ｒａｎｄｏｍ())があるため、一部の粒子の運動の幅がｆ*ｍａｔｈ.ｒａｎｄｏｍ()またはｇ*ｒａｎｄｏｍ()程度増加し、このような場合、全体的な効果がハート型または桃型の尖り角に表現され、粒子動画で表現する図案の審美性を向上させる。具体的に、ｈ、ｉの数値範囲は０<ｈ≦０．２、０<ｉ≦０．２に限定し、例えばｈ=０．２、ｉ=０．１である。
【００７４】
式（６）−(７)で中間点の座標（ｏｂｊ.ｔｘ，ｏｂｊ.ｔｙ）を計算する。
ｏｂｊ.ｔｘ=ｃｅｎｔｅｒＸ+(ｏｂｊ.ｅｘ−ｃｅｎｔｅｒＸ)/２            （６）
ｏｂｊ.ｔｙ=ｏｂｊ.ｅｙ>ｃｅｎｔｅｒＹ？(ｃｅｎｔｅｒＹ−(ｏｂｊ.ｅｙ−ｊ)/２−ｋ) : （ｏｂｊ.ｅｙ+ｃｅｎｔｅｒＹ）/４)−ｐ−ｍａｔｈ.ａｂｓ(ｏｆｆｓｅｔ))*ｑ*ｍａｔｈ.ｒａｎｄｏｍ()                                                （７）
その中,(ｃｅｎｔｅｒＸ、ｃｅｎｔｅｒＹ)はアイコンの中心座標であり、ｍａｔｈ.ａｂｓ()は整数を求めてから絶対値を返す関数であり、(ｏｂｊ.ｅｘ、ｏｂｊ.ｅｙ)は終点の座標であり、ｍａｔｈ.ｒａｎｄｏｍ()は乱数発生関数で、発生させる乱数の範囲は[０、１]である。終点がスクリーンの下方(ｏｂｊ.ｅｙ>ｃｅｎｔｅｒＹ)に位置する場合、中間点をスクリーンの上方(ｃｅｎｔｅｒＹ−(ｏｂｊ.ｅｙ−ｊ)/２−ｋ)<ｃｅｎｔｅｒＹ)に設置して、粒子が上昇してから落下する様子を表現させる。終点がスクリーンの上方(ｏｂｊ.ｅｙ<ｃｅｎｔｅｒＹ)に位置する場合、中間点をスクリーンの中間付近の位置（((ｏｂｊ.ｅｙ+ｃｅｎｔｅｒＹ)/４)−ｐ−ｍａｔｈ.ａｂｓ(ｏｆｆｓｅｔ)）*ｑ*ｍａｔｈ.ｒａｎｄｏｍ())に設置して、粒子がゆっくりと変化してから急に上昇する様子を表現させる。Ｊ、ｋ、ｐ、ｑは設定値で、ｊは一般的にスクリーンの高さ(例えば９６０画素の場合)の１/４程度で、例えば２６０画素であり、ｋは一般的にスクリーンの高さの１/８程度で、例えば１００画素であり、ｐは一般的にスクリーンの高さの１/３程度で、例えば３００画素であり、ｑは０<ｑ<０．５で、例えばｑ=０．３である。
【００７５】
なお、上述した計算式でＸ？Ｙ:Ｚは、Ｘが成立する場合に、Ｙを選択して計算し、Ｘが成立しない場合に、Ｚを選択して計算することである。
【００７６】
各粒子が各自の運動軌跡に沿って動くステップは、
各粒子が、それぞれ異なる時間を遅延した後、各自の運動軌跡に沿って動き始めるステップを含むことが好ましい。
【００７７】
実現される場合、各粒子の遅延時間として、一部が同一で、他の一部が異なってもよく、全ての粒子の遅延時間がお互い異なってもよい。
【００７８】
各粒子が遅延される時間はランダム性を有するのが更に好ましい。
【００７９】
例えば、各粒子の遅延時間は０．２*ｍａｔｈ.ｒａｎｄｏｍ()である。つまり、２００ｍｓ以内で任意的に粒子を発射する。
【００８０】
各粒子が各自の運動軌跡に沿って動くステップは、
各粒子が各自の運動軌跡に沿って加速されて動くステップを含むことができる。
【００８１】
なお、各粒子が各自の運動軌跡に沿って加速されて動くことで、モバイル端末のデスクトップに散らばる画面が形成され、粒子が爆発する様子をよりリアリティにシミュレーションでき、表現効果を向上させる。
【００８２】
各粒子が各自の運動軌跡に沿って動くステップは、
各粒子が各自の運動軌跡に沿って動く過程において、各粒子の透明度が次第に下がるステップを含んでもよい。これにより、粒子が発生してから消えるまでの爆発シーンを表示する。
【００８３】
具体的に、粒子の初期透明度は１００%で、終了透明度は０である。
【００８４】
粒子動画の形態で、モバイル端末のデスクトップからアプリケーションプログラムのアイコンが移動されて除去される過程を表示するステップは、
アプリケーションプログラムのアイコンを縮小するステップと、
アプリケーションプログラムのアイコンが設定サイズに縮小された場合、粒子動画の形態でモバイル端末のデスクトップからアプリケーションプログラムのアイコンが移動されて除去される過程を表示するステップと、を含んでよい。
【００８５】
アプリケーションプログラムのアイコンを縮小するステップは、
設定された速度で、アプリケーションプログラムのアイコンが設定サイズ（例えば、１０画素*１０画素)に縮小されるまで、アプリケーションプログラムのアイコンを次第に縮小する段階を含んでよい。
【００８６】
本発明の実施例は、動画を採用してモバイル端末のデスクトップからアプリケーションプログラムのアイコンが移動されて除去される過程を表示することで、アプリケーショアプリケーションプログラムのアンインストールに関して、使用者に対するフィードバックを強化させ、アプリケーションプログラムが既にアンインストールされたことを使用者に告知し、使用者の体験を良くさせる。
【００８７】
図４は一つの例示的な実施例に係るアプリケーションプログラムをアンインストールする装置を示すブロック図である。図４を参照すると、当該装置は、受信モジュール３０１、アンインストールモジュール３０２及び移動除去モジュール３０３を含む。
【００８８】
当該受信モジュール３０１は、アプリケーションプログラムのアンインストールコマンドを受信するように配置される。
【００８９】
当該アンインストールモジュール３０２は、アンインストールコマンドにより、アプリケーションプログラムをアンインストールするように配置される。
【００９０】
当該移動除去モジュール３０３は、モバイル端末のデスクトップからアプリケーションプログラムのアイコンを移動して除去し、且つ動画を採用してモバイル端末のデスクトップからアプリケーションプログラムのアイコンが移動されて除去される過程を表示するように配置される。
【００９１】
本発明の実施例は、動画を採用してモバイル端末のデスクトップからアプリケーションプログラムのアイコンが移動されて除去される過程を表示することで、アプリケーショアプリケーションプログラムのアンインストールに関して、使用者に対するフィードバックを強化させ、アプリケーションプログラムが既にアンインストールされたことを使用者に告知し、使用者の体験を良くさせる。
【００９２】
図５は一つの例示的な実施例に係るアプリケーションプログラムをアンインストールする装置を示すブロック図である。図５を参照すると、当該装置は、受信モジュール４０１、アンインストールモジュール４０２及び移動除去モジュール４０３を含む。
【００９３】
当該受信モジュール４０１は、アプリケーションプログラムのアンインストールコマンドを受信するように配置される。
【００９４】
当該アンインストールモジュール４０２は、アンインストールコマンドにより、アプリケーションプログラムをアンインストールするように配置される。
【００９５】
当該移動除去モジュール４０３は、モバイル端末のデスクトップからアプリケーションプログラムのアイコンを移動して除去し、且つ動画を採用してモバイル端末のデスクトップからアプリケーションプログラムのアイコンが移動されて除去される過程を表示するように配置される。
【００９６】
本実施例の一つの実現方式において、移動除去モジュール４０３は、粒子動画の形態で、モバイル端末のデスクトップからアプリケーションプログラムのアイコンが移動されて除去される過程を表示するように配置されてもよい。
【００９７】
移動除去モジュール４０３は、生成サブモジュール４０３ａと、分割サブモジュール４０３ｂと、制御サブモジュール４０３ｃとを含んでもよい。
【００９８】
当該生成サブモジュール４０３ａは、アプリケーションプログラムのアイコンが位置している位置から動き始める複数の粒子を生成するように配置される。
【００９９】
当該分割サブモジュール４０３ｂは、アプリケーションプログラムのアイコンを複数の粒子と同じ数量の部分に分割し、且つ各部分の色を対応する粒子の色とするように配置される。
【０１００】
当該制御サブモジュール４０３ｃは、各粒子が各自の運動軌跡を沿って、粒子が消えるまで動くように制御するように配置される。
【０１０１】
複数の粒子の運動軌跡の形式は同一でもよく、運動軌跡の方向と運動軌跡の幅は異なってもよいことが好ましい。
【０１０２】
複数の粒子の運動軌跡の形式はベジェ曲線、放物線及び直線の中の任意の一つであることが更に好ましい。
【０１０３】
複数の粒子の運動軌跡の方向、運動軌跡の幅はランダム性を有することが更に好ましい。
【０１０４】
制御サブモジュール４０３ｃは、各粒子を、それぞれ異なる時間を遅延した後、各自の運動軌跡に沿って動き始めさせることが好ましい。
【０１０５】
制御サブモジュール４０３ｃは、各粒子が各自の運動軌跡に沿って動く過程において、各粒子の透明度が次第に下がるように制御することが好ましい。
【０１０６】
粒子のサイズはランダム性を有することが好ましい。
【０１０７】
本実施例の他の実現方式において、移動除去モジュール４０３は、アプリケーションプログラムのアイコンを縮小し、アプリケーションプログラムのアイコンが設定サイズに縮小された場合、粒子動画の形態でモバイル端末のデスクトップからアプリケーションプログラムのアイコンが移動されて除去される過程を表示するように配置される。
【０１０８】
本実施例の他の実現方式において、受信モジュール４０１は、さらに、アプリケーションプログラムの処理コマンドを受信するように配置される。
【０１０９】
前記装置は表示モジュール４０４を更に含む。
【０１１０】
当該表示モジュール４０４は、処理コマンドにより、アンインストールコマンドの入力インタフェースを設置されているアプリケーションプログラムのアイコンを動的な形態で表示するように配置される。
【０１１１】
本発明の実施例は、動画を採用してモバイル端末のデスクトップからアプリケーションプログラムのアイコンが移動されて除去される過程を表示することで、アプリケーショアプリケーションプログラムのアンインストールに関して、使用者に対するフィードバックを強化させ、アプリケーションプログラムが既にアンインストールされたことを使用者に告知し、使用者の体験を良くさせる。
【０１１２】
上記実施例における装置について、その中の各モジュールの実行・操作の具体的な形態は、すでに方法に関する実施例で詳細に説明されているため、ここでは詳しい説明を省略する。
【０１１３】
図６は一つの例示的な実施例に係るアプリケーションプログラムをアンインストールする装置８００を示すブロック図である。例えば、装置８００は、携帯電話、パソコン、デジタル放送端末、メッセージ送受信設備、ゲームコンソール、タブレット設備、医療機器、トレーニング設備、個人情報端末などであってもよい。
【０１１４】
図６を参照すると、装置８００は、処理部８０２、メモリ８０４、電力部８０６、マルチメディア部８０８、オーディオ部８１０、入力/出力(I/O)インターフェース８１２、センサ部８１４及び通信部８１６の中の一つ或いは複数の部材を含むことができる。
【０１１５】
普通、処理部８０２は装置８００全体の操作を制御する。例えば、表示、電話の呼び出し、データ通信、カメラ操作、および記録操作に関連する操作を制御する。処理部８０２は、1つまたは複数のプロセッサ８０２を含んで、コマンドを実行することで、上記の方法の全部若しくは一部のステップを完了する。また、処理部８０２は、処理部８０２とほかの部材とのインタラクティブを便利にさせるため、1つまたは複数のモジュールを含んでもよい。例えば、処理部８０２は、マルチメディアモジュールを含むことで、マルチメディア部８０８と処理部８０２間のインタラクティブを便利にさせる。
【０１１６】
メモリ８０４は、さまざまなタイプのデータを保存するよう配置され、装置８００の操作をサポートする。このようなデータの例として、装置８００で操作される任意のアプリケーションプログラム又は方法のためのコマンド、連絡人データ、電話帳データ、メッセージ、イメージ、映像などを含む。メモリ８０４は、例えば、スタティックＲＡＭ (ＳＲＡＭ：ｓｔａｔｉｃ ｒａｎｄｏｍ ａｃｃｅｓｓ ｍｅｍｏｒｙ)、電気的消去可能ＲＯＭ (ＥＥＰＲＯＭ：Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ)、消去可能ＰＲＯＭ (ＥＰＲＯＭ：Ｅｒａｓａｂｌｅ Ｐｒｏｇｒａｍｍａｂｌｅ Ｒｅａｄ−Ｏｎｌｙ Ｍｅｍｏｒｙ)、プログラマブルＲＯＭ (ＰＲＯＭ：Ｐｒｏｇｒａｍｍａｂｌｅ Ｒｅａｄ−Ｏｎｌｙ Ｍｅｍｏｒｙ)、ロム (ＲＯＭ：ｒｅａｄ ｏｎｌｙ ｍｅｍｏｒｙ)、磁性メモリ、フラッシュメモリ、ディスクまたはコンパクトディスク(Ｃｏｍｐａｃｔ Ｄｉｓｃ)などの、任意タイプの揮発性又は非揮発性の記憶装置、又はこれらの組み合わせであってもよい。
【０１１７】
電力部８０６は、装置８００の各部材に電力を提供する。電力部８０６は電源管理システム、1つまたは複数の電源、および装置８００のための電力の生成、管理、配分に関連されるほかの部材を含んでもよい。
【０１１８】
マルチメディア部８０８は、上記装置８００と使用者との間で1つの出力インターフェースを提供するスクリーンを含む。一部の実施例において、スクリーンは液晶表示装置(ＬＣＤ)とタッチパネル(ＴＰ)を含むことができる。スクリーンがタッチパネルを含む場合、スクリーンはタッチスクリーンとして実現され、使用者からの入力信号を受信することができる。タッチパネルは、タッチ、スライド及びタッチパネル上の手振りが検知できるように、1つまたは複数のタッチセンサを含む。前記タッチセンサは、タッチ又はスライド動作の境界を検知できるだけでなく、前記タッチまたはスライド操作に関連する持続時間及び圧力も検知できる。一部の実施例において、マルチメディア部８０８は、1つの前面カメラ及び/又は背面カメラを含む。装置８００が操作モード、例えば撮影モードまたはビデオモードにある場合、前面カメラ及び/又は背面カメラは、外部からのマルチメディアデータを受信することができる。前面カメラおよび背面カメラのそれぞれは、固定された光学レンズシステムであってもよく、又は焦点距離および光学ズーム性能を備えたレンズシステムであってもよい。
【０１１９】
オーディオ部８１０は、オーディオ信号を出力及び/又は入力するように配置される。例えば、オーディオ部８１０は1つのマイク(ＭＩＣ)を含み、装置８００が操作モード、例えば呼び出しモード、記録モード及び音声識別モードにある場合、マイクは外部オーディオ信号を受信するように配置される。受信されたオーディオ信号は、さらに、メモリ８０４に保存されるか、或いは通信部８１６を経由して送信されることができる。一部の実施例において、オディオ部８１０は、オーディオ信号を出力するための1つのスピーカーを更に含む。
【０１２０】
Ｉ/Ｏインターフェース８１２は、処理部８０２と外部インターフェースモジュールとの間でインターフェースを提供する。上記の外部インターフェースモジュールは、キーボード、クリックホイール、ボタンなどであってもよい。このようなボタンにはホムボタン、音量ボタン、起動ボタン及びロックボタンが含まれているが、これらに限らない。
【０１２１】
センサ部８１４は、装置８００に様々な方面の状態評価を提供するための1つまたは複数のセンサを含む。例えば、センサ部８１４は、装置８００のオン/オフ状態、部材(例えば、前記部材は、装置８００のディスプレイおよびキーパッド)の相対的な位置を検知できる。センサ部８１４は、さらに、装置８００または装置８００における1つの部材の位置変化、使用者と装置８００との間の接触が存在するか否か、装置８００の方向及び位置、または加速/減速、及び装置８００の温度変化も検知できる。センサ部８１４は、如何なる物理的接触もない場合、周囲の物体の存在を検知できるように配置される近接センサを含むことができる。センサ部８１４は、ＣＭＯＳまたはＣＣＤイメージセンサのように、イメージングアプリケーションで使用される光センサも含むことができる。一部の実施例において、当該センサ部８１４は、加速度センサ、ジャイロセンサ、磁気センサ、圧力センサ又は温度センサを更に含むことができる。
【０１２２】
通信部８１６は、装置８００とほかの設備との間で有線又は無線によって便利に通信できるように配置される。装置８００は、通信標準に基づく無線ネットワークにアクセスできる。前記無線ネットワークは、ＷｉＦｉ、２Ｇまたは３Ｇ又はこれらの組み合わせである。一つの例示的な実施例において、通信部８１６は、放送チャンネルを経由して外部放送管理システムからの放送信号又は放送関連情報を受信する。一つの例示的な実施例において、前記通信部８１６は、近距離無線通信(ＮＦＣ)モジュールを更に含んで、近距離通信をサポートする。例えば、ＮＦＣモジュールは、ＲＦＩＤ(ｒａｄｉｏ ｆｒｅｑｕｅｎｃｙ ｉｄｅｎｔｉｆｉｃａｔｉｏｎ、無線周波数認識)技術、ＩｒＤＡ(Ｉｎｆｒａｒｅｄ Ｄａｔａ Ａｓｓｏｃｉａｔｉｏｎ、赤外線通信規格)技術、ＵＷＢ(Ｕｌｔｒａ−ｗｉｄｅ Ｂａｎｄｗｉｄｔｈ、超広帯域)技術、ＢＴ(ＢｌｕｅＴｏｏｔｈ、ブルートゥース（登録商標）)技術および他の技術に基づいて実現することができる。
【０１２３】
例示的な実施例おいて、装置８００は、上記の方法を実行するために、1つまたは複数の特定用途向け集積回路(ＡＳＩＣ、Ａｐｐｌｉｃａｔｉｏｎ Ｓｐｅｃｉｆｉｃ Ｉｎｔｅｇｒａｔｅｄ Ｃｉｒｃｕｉｔ)、デジタル信号プロセッサ (ＤＳＰ、ｄｉｇｉｔａｌ ｓｉｇｎａｌ ｐｒｏｃｅｓｓｏｒ)、デジタル信号処理設備(ＤＳＰＤ、ｄｉｇｉｔａｌ ｓｉｇｎａｌ ｐｒｏｃｅｓｓ  Device)、プログラマブルロジックデバイス(ＰＬＤ、Ｐｒｏｇｒａｍａｂｌｅ Ｌｏｇｉｃ Ｄｅｖｉｃｅ)、フィールド・プログラマブル・ゲート・アレイ(ＦＰＧＡ；Ｆｉｅｌｄ Ｐｒｏｇｒａｍｍａｂｌｅ Ｇａｔｅ Ａｒｒａｙ)、コントローラ、マイクロコントローラ、マイクロプロセッサ、又はほかの電子素子で実現することができる。
【０１２４】
例示的な実施例において、コマンドを含んでいる非一時的なコンピューター読み取り可能な記録媒体、例えばコマンドを含んでいるメモリ８０４を更に提供する。上記のコマンドは、装置８００のプロセッサ８２０により実行され、上記の方法を終了させる。例えば、前記非一時的なコンピューター読み取り可能な記録媒体は、ＲＯＭ（ｒｅａｄ−ｏｎｌｙ  ｍｅｍｏｒｙ）、ランダムアクセスメモリ(ＲＡＭ；Ｒａｎｄｏｍ Ａｃｃｅｓｓ Ｍｅｍｏｒｙ)、ＣＤ−ＲＯＭ、テープ、フロッピーディスク（登録商標）及び光データ保存設備であってもよい。
【０１２５】
非一時的なコンピューター読み取り可能な記録媒体はにおいて、前記記録媒体におけるコマンドがモバイル端末のプロセッサによって実行される場合、モバイル端末でアプリケーションプログラムをアンインストールする方法が実行される。前記方法は、
プロセッサと、
プロセッサが実行可能なコマンドを保存するメモリと、を含み、
その中、前記プロセッサは、
アプリケーションプログラムのアンインストールコマンドを受信するステップと、
前記アンインストールコマンドにより、前記アプリケーションプログラムをアンインストールするステップと、
モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップと、を実行するように配置される。
【０１２６】
本実施例の一つの実現方式において、前記モバイル端末のデスクトップから前記アプリケーションプログラムのアイコンを移動して除去し、且つ動画を採用して前記モバイル端末のデスクトップから前記アプリケーションプログラムのアイコンが移動されて除去される過程を表示するステップは、
粒子動画の形態で、前記モバイル端末のデスクトップから前記アプリケーションプログラムのアイコンが移動されて除去される過程を表示するステップを含む。
【０１２７】
前記粒子動画の形態で、前記モバイル端末のデスクトップから前記アプリケーションプログラムのアイコンが移動されて除去される過程を表示するステップは、
前記アプリケーションプログラムのアイコンが位置している位置から動き始める複数の粒子を生成するステップと、
前記アプリケーションプログラムのアイコンを前記複数の粒子と同じ数量の部分に分割し、且つ各前記部分の色を対応する粒子の色とするステップと、
各前記粒子を、各自の運動軌跡を沿って前記粒子が消えるまで動くように制御するステップと、を含んでよい。
【０１２８】
前記複数の粒子の運動軌跡の形式は同一であり、運動軌跡の方向と運動軌跡の幅は異なることが好ましい。
【０１２９】
前記複数の粒子の運動軌跡の形式はベジェ曲線、放物線及び直線の中の任意の一つであることが更に好ましい。
【０１３０】
前記複数の粒子の運動軌跡の方向、運動軌跡の幅はランダム性を有することが更に好ましい。
【０１３１】
各前記粒子を、各自の運動軌跡に沿って動くように制御する前記ステップは、
各前記粒子を、それぞれ異なる時間が遅延された後、各自の運動軌跡に沿って動き始めるように制御するステップを含んでよい。
【０１３２】
各前記粒子を、各自の運動軌跡に沿って動くように制御する前記ステップは、
各前記粒子が各自の運動軌跡に沿って動く過程において、各前記粒子の透明度が次第に下がるように制御するステップを含んでよい。
【０１３３】
前記粒子のサイズはランダム性を有してもよい。
【０１３４】
本実施例の他の実現方式において、前記粒子動画の形態で、前記モバイル端末のデスクトップから前記アプリケーションプログラムのアイコンが移動されて除去される過程を表示するステップは、
前記アプリケーションプログラムのアイコンを縮小するステップと、
前記アプリケーションプログラムのアイコンが設定サイズに縮小された場合、粒子動画の形態で前記モバイル端末のデスクトップから前記アプリケーションプログラムのアイコンが移動されて除去される過程を表示するステップと、を含む。
【０１３５】
本実施例の他の実現方式において、前記方法は、
前記アプリケーションプログラムの処理コマンドを受信するステップと、
前記処理コマンドにより、前記アンインストールコマンドの入力インタフェースが設置されている前記アプリケーションプログラムのアイコンを動的な形態で表示するステップと、を更に含む。
【０１３６】
当業者は、明細書内容を参考し、且つここに開示された発明を実現した後、本発明のほかの実施形態を容易に想到できる。本願は、本発明に対する全ての変形、用途または適当な変化を含み、このような変形、用途または適当な変化は、本発明の一般的な原理に従うものであり、本開示に開示されていない本技術分野の周知の常識又は慣用の技術手段を含む。 明細書と実施例は単なる例示に過ぎず、本発明で保護しようとする範囲と宗旨は下記の特許請求の範囲によって決められる。
【０１３７】
なお、本発明は、上述に説明され、且つ図面に示された精密な構造に限らず、特許請求の範囲を超えない限り、様々な修正と変形が可能である。本発明の範囲は、添付した特許請求の範囲のみによって限定される。
【図１ａ】
0006267405.tif 000002
【図１ｂ】
0006267405.tif 000003
【図１ｃ】
0006267405.tif 000004
【図２】
0006267405.tif 000005
【図３】
0006267405.tif 000006
【図４】
0006267405.tif 000007
【図５】
0006267405.tif 000008
【図６】
0006267405.tif 000009